(57)【要約】【課題】充電式電池の寿命を延ばすことができる充電制御装置及び電源システムを提供する。【解決手段】充電制御装置２は、太陽電池１と充電式電池３とに接続されている。この充電制御装置２の制御部２４は、電圧検出部２２で検出した電圧により充電式電池３の残量を計算するとともに、情報センター１６等から天気予報情報を取得する。そして、充電式電池３の残量が所定量以上の場合、及び残量が所定量未満であっても翌日の天気予報情報が晴天の場合は充電を行わず、充電式電池３に充電を行うか否かの判定を翌日に繰り延べる。【選択図】図１
2012023874.tif 000002
【特許請求の範囲】
【請求項１】
充電式電池の電圧を検出する電圧検出部と、
天気予報情報を取得するとともに、前記電圧検出部による電圧検出結果から前記充電式電池の残量を求め、前記充電式電池の残量と前記天気予報情報とに基づいて前記充電式電池の充電を行うか否かを判定する制御部と、
前記制御部の判定結果に応じて太陽電池の出力電力を前記充電式電池に供給し前記充電式電池の充電を行う充電回路部と
を有することを特徴とする充電制御装置。
【請求項２】
前記制御部は、前記充電式電池の残量が予め設定された第１の基準残量よりも多い場合、及び前記充電式電池の残量が前記第１の基準残量未満であっても前記天気予報情報に含まれる翌日の天気が晴天の場合には、前記充電式電池を充電するか否かの判定を翌日に繰り延べることを特徴とする請求項１に記載の充電制御装置。
【請求項３】
前記制御部は、前記充電式電池の残量が第２の基準残量（但し、第１の基準残量＞第２の基準残量）よりも少なくなったときには、前記天気予報情報に関係なく前記充電回路部を制御して前記充電式電池の充電を開始させることを特徴とする請求項２に記載の充電制御装置。
【請求項４】
前記第２の基準残量は、前記天気予報情報の信頼度が高い場合ほど小さい値に設定されることを特徴とする請求項３に記載の充電制御装置。
【請求項５】
前記制御部は前記天気予報情報に含まれる当日の日照時間に基づいて前記充電式電池を充電するときの充電電流を決定し、前記充電回路部は前記制御部により決定された充電電流で前記充電式電池を充電することを特徴とする請求項１乃至３のいずれか１項に記載の充電制御装置。
【請求項６】
光を受けて電力を発生する太陽電池と、
前記太陽電池で発生した電力を蓄える充電式電池と、
前記充電式電池の充電を制御する充電制御装置とを具備し、
前記充電制御装置は、
前記充電式電池の電圧を検出する電圧検出部と、
翌日が晴天か否かの情報を含む天気予報情報を取得するとともに、前記電圧検出部による電圧検出結果から前記充電式電池の残量を求め、前記充電式電池の残量と前記天気予報情報とに基づいて前記充電式電池の充電を行うか否かを判定する制御部と、
前記制御部の判定結果に応じて前記太陽電池の出力電力を前記充電式電池に供給し前記充電式電池の充電を行う充電回路部とを有することを特徴とする電源システム。
【発明の詳細な説明】
【技術分野】
【０００１】
本発明は、充電制御装置及び電源システムに関する。
【背景技術】
【０００２】
屋外に設定される電子機器には、電源として太陽電池と充電式電池（二次電池）とを併用したものがある。この種の電子機器は、太陽電池の発電量が大きい晴天の日中には太陽電池の電力で稼働し、更にその余剰電力で充電式電池を充電する。また、太陽電池から電力が得られない夜間や雨天時には、充電式電池に充電された電力で稼働する。
【先行技術文献】
【特許文献】
【０００３】
【特許文献１】特開平０１−０５０７２３号公報
【特許文献２】特開２０００−１２５４０７号公報
【発明の概要】
【発明が解決しようとする課題】
【０００４】
上述した電子機器では、晴れ又は曇りのときには充電式電池が充電される。従って、晴れ又は曇りの日が続く場合、充電式電池はフル充電に近い状態で充電と放電とが繰り返されることになる。しかし、一般的に、充電式電池はフル充電に近い状態が長期間続くと寿命が短くなるといわれている。また、充電式電池は、充電回数の増加にともなって劣化が進み、寿命が短くなるともいわれている。
【０００５】
以上から、充電式電池の寿命を延ばすことができる充電制御装置及び電源システムを提供することを目的とする。
【課題を解決するための手段】
【０００６】
一観点によれば、充電式電池の電圧を検出する電圧検出部と、翌日が晴天か否かの情報を含む天気予報情報を取得するとともに、前記電圧検出部による電圧検出結果から前記充電式電池の残量を求め、前記充電式電池の残量と前記天気予報情報とに基づいて前記充電式電池の充電を行うか否かを判定する制御部と、前記制御部の判定結果に応じて太陽電池の出力電力を前記充電式電池に供給し前記充電式電池の充電を行う充電回路部とを有する充電制御装置が提供される。
【発明の効果】
【０００７】
上記一観点の充電制御装置では、充電式電池の残量と天気予報情報とに基づいて充電を行うか否かを決定する。これにより、充電式電池の充電回数を少なくすることができ、充電式電池の寿命を延ばすことができる。
【図面の簡単な説明】
【０００８】
【図１】図１は、実施形態に係る電源システムのブロック図である。
【図２】図２は、実施形態に係る電源システムにおいて実行される充電判定処理を説明するフローチャートである。
【図３】図３は、充電式電池の放電特性の一例を表す図である。
【図４】図４は、充電判定処理を充電式電池の残量で表した図である。
【図５】図５は、充電処理のフローチャートである。
【図６】図６は、充電時に充電式電池の異常の有無を検出しながら充電を行う充電処理のフローチャートである。
【図７】図７は、変形例１の充電判定処理を充電式電池の残量で表した図である。
【発明を実施するための形態】
【０００９】
以下、実施形態について、添付の図面を参照して説明する。
【００１０】
図１は、実施形態に係る電源システムのブロック図である。
【００１１】
この図１のように、本実施形態に係る電源システム１０は、太陽電池１と、充電制御装置２と、充電式電池３と、機器制御装置４とを有し、機器制御装置４を介して電子機器１５に電力を供給する。また、本実施形態に係る電源システム１０では、所定の情報センター１６との間で通信を行って天気予報情報を取得し、その天気予報情報に基づいて充電式電池３を充電するか否かの判定を行う。
【００１２】
なお、本実施形態において天気予報情報には、翌日が晴天か雨天かの情報と、当日の日照時間の情報とが含まれているものとする。また、説明の便宜上、本実施形態では太陽電池１から十分な電力（太陽電池１からの給電のみで電子機器１５を稼働できる電力）が得られるときの天気を晴天と呼び、晴天の日には晴れの日だけでなく曇りの日も含むものとする。更に、本実施形態では太陽電池１から十分な電力が得られないときの天気を雨天と呼び、雨天の日には雨の日だけでなく雪の日も含むものとする。
【００１３】
以下、電源システム１０の各部の詳細について説明する。
【００１４】
太陽電池１は光を電力に変換する素子であり、例えばシリコン等の半導体により形成されている。この太陽電池１の出力端子は、充電制御装置２及び機器制御装置４に接続されている。太陽電池１から出力される電力は光の強度により変化する。このため、晴れや曇りのときには太陽電池から比較的大きな電力が出力されるが、雨のときや夜間には殆ど電力が出力されない。
【００１５】
充電式電池３は充電制御装置２に接続されており、この充電制御装置２を介して充電式電池３の充電、及び充電式電池３から電子機器１５への電力供給が行われる。本実施形態において充電式電池３の種類は限定されるものではないが、例えばニッケル・水素電池、ニッケル・カドミウム電池及びリチウムイオン電池等を使用できる。
【００１６】
充電制御装置２は、充電回路部２１と、電圧検出部２２と、電流検出部２３と、制御部２４とを有する。電圧検出部２２は、充電式電池３の電圧を検出する。また、電流検出部２３は、充電式電池３を充電するときの充電電流を検出する。
【００１７】
制御部２４には、充電式電池３の放電特性の情報と、電子機器１５の一日当たりの電力消費量の情報とが記憶されている。そして、制御部２４は、これらの情報と、電圧検出部２２の検出結果と、機器制御装置４を介して入力される天気予報情報とに基づいて充電式電池３の充電を行うか否かを決定し、更に充電を行う場合は充電電流をどのくらいにするかなどを決定する。充電回路部２１は、制御部２４からの信号に基づき、充電式電池３を充電する際の充電電流を制御する。
【００１８】
また、制御部２４は、後述するように機器制御装置４の電源切換部４１から出力される接続要求信号及び切断要求信号に基づいて、充電式電池３と電源切換部４１との間を電気的に接続したり切断したりする。
【００１９】
機器制御装置４は、電源切換部４１、天気情報制御部４２及び通信モジュール４３を有する。電源切換部４１は、太陽電池１の出力電圧が設定値（予め設定された値）以上のときには太陽電池１から出力される電力を電子機器１５に供給する。
【００２０】
また、電源切換部４１は、太陽電池１の出力電圧が前述の設定値よりも低いときには充電制御装置２に充電式電池３との接続を要求する信号（接続要求信号）を出力する。この信号により、充電式電池３と電源切換部４１とが電気的に接続されると、電源切換部４１は太陽電池１と電子機器１５との間を電気的に切断し、充電式電池３と電子機器１５との間を電気的に接続する。
【００２１】
更に、電源切換部４１は、太陽電池１の出力電圧が前述の設定値よりも高くなると、充電制御装置２に充電式電池３との接続の遮断を要求する信号（遮断要求信号）を出力するとともに、電子機器１５と太陽電池１との間を電気的に接続する。
【００２２】
天気情報制御部４２は、通信モジュール４３を制御して情報センター１６との間で通信を行い、情報センター１６から天気予報情報を取得する。この天気予報情報は、前述したように充電制御装置２の制御部２４に送られる。
【００２３】
図２は本実施形態に係る電源システム１０において実行される充電判定処理（充電を行うか否かの判定処理）を説明するフローチャートである。ここでは、充電制御装置２には時計が内蔵されており、以下の処理は予め設定された時刻に実行されるものとする。しかし、例えば情報センター１６から送られてくる特定の信号により以下の処理を実行するようにしてもよい。
【００２４】
まず、ステップＳ１１において、充電制御装置２の制御部２４は、パラメータを初期化する。具体的には、第１の動作保証日数Ｍ及び第２の動作保証日数Ｎ（但し、Ｎ≦Ｍ）を設定する。
【００２５】
ここで、第１の動作保証日数Ｍは、太陽電池１から電力が供給されなくても電子機器１５が動作する日数により決まる値であり、充電式電池３の容量と電子機器１５の消費電力とに応じて設定される。本実施形態では、第１の動作保証日数Ｍを５とする。すなわち、太陽電池１から電力が供給されない場合であっても、充電式電池３からの電力により電子機器１５が少なくとも５日間動作可能であることを想定して充電式電池３の容量が設定されているものとする。
【００２６】
第２の動作保証日数Ｎは天気予報情報の信頼度に応じて設計者などが予め決定する値である。例えば、翌日が雨天であるとする天気予報情報の信頼度が０％のときはＮ＝Ｍとし、信頼度が５０％のときはＮ＝３Ｍ／４とし、信頼度が１００％のときはＮ＝Ｍ／２とする。ここでは、天気予報情報の信頼度を１００％とし、Ｎ＝２（小数点以下切り捨て）とする。
【００２７】
次に、ステップＳ１２において、制御部２４は、機器制御装置４の天気情報制御部４２及び通信モジュール４３を介して、情報センター１６から天気予報情報を取得する。この天気予報情報には、前述したように翌日が晴天か雨天かの情報と、当日の日照時間の情報とが含まれている。
【００２８】
次に、ステップＳ１３において、制御部２４は、充電式電池３の残量を求める。充電式電池３の残量は、電圧検出部２２で検出した充電式電池３の電圧と、充電式電池３の放電特性とに基づいて計算される。
【００２９】
図３は、横軸に電荷量（Ａ・ｈ）をとり、縦軸に電圧（Ｖ）をとって、充電式電池３の放電特性を表した図である。図中のＶLは充電式電池３の出力下限値であり、出力下限値ＶLに対応する電荷量Ａmaxは充電式電池３が放出できる電荷量の最大値、すなわち充電式電池３の容量を表している。
【００３０】
充電式電池３の残量は次のように求めることができる。すなわち、電圧検出部２２により検出した充電式電池３の電圧がＶ1であるとすると、このときの充電式電池３の電荷量は、図３の放電特性からＡ1であることがわかる。この場合、充電式電池３の残量Ｐは、Ｐ＝Ａmax−Ａ1となる。
【００３１】
制御部２４には図３の放電特性に対応する情報が予め記憶されており、その情報と電圧検出部２２による電圧検出結果とを用いて充電式電池３の残量を算出する。
【００３２】
このようにして充電式電池３の残量を算出した後、ステップＳ１４に移行する。ステップＳ１４において、制御部２４は、雨天が続いた場合の動作可能日数Ｄ、すなわち充電式電池３のみで電子機器１５を稼動できる日数を計算する。動作可能日数Ｄは、充電式電池３の残量を電子機器１５の一日当たりの電力消費量で除算して求める。
【００３３】
次に、ステップＳ１５に移行し、制御部２４は、動作可能日数Ｄが第１の動作保証日数Ｍ以上か否かを判断する。ここで、動作可能日数Ｄが第１の動作保証日数Ｍ以上と判断した場合（Ｙｅｓ）は、充電式電池３の残量が十分あることを意味する。この場合、ステップＳ１８に移行し、その日は充電処理を実行せず、充電を行うか否かの判定を翌日に繰り延べて処理を終了する。
【００３４】
一方、ステップＳ１５において、動作可能日数Ｄが第１の動作保証日数Ｍよりも小さいと判断した場合（Ｎｏ）には、ステップＳ１６に移行する。ステップＳ１６では、制御部２４は動作可能日数Ｄが第２の動作保証日数Ｎ以上か否かを判定する。
【００３５】
ステップＳ１６で、動作可能日数Ｄが第２の動作保証日数Ｎ未満であると判定した場合（Ｎｏ）、すなわち充電式電池３の残量が２日分（Ｎ＝２の場合）未満の場合はステップＳ１９に移行する。ステップＳ１９では、充電式電池３の充電処理を開始する。充電処理の詳細については、後述する。
【００３６】
一方、ステップＳ１６で、動作可能日数Ｄが第２の動作保証日数Ｎ以上であると判定した場合（Ｙｅｓ）にはステップＳ１７に移行する。ステップＳ１７において、制御部２４は天気予報情報を参照する。そして、翌日の天気予報情報が晴天である場合（Ｙｅｓ）はステップＳ１８に移行し、その日は充電処理を実行せず、充電を行うか否かの判定を翌日に繰り延べて処理を終了する。
【００３７】
また、ステップＳ１７において、翌日の天気予報情報が晴天ではない場合（Ｎｏ）は、ステップＳ１９に移行する。そして、ステップＳ１９において、充電式電池３の充電処理を開始する。
【００３８】
上述の充電判定処理を充電式電池３の残量で表すと、図４のようになる。すなわち、充電式電池３の残量Ｄが第１の基準残量（第１の動作保証日数Ｍに対応）以上の場合は、充電式電池３の充電を行うか否かの判定を翌日に繰り延べる。
【００３９】
また、充電式電池３の残量Ｄが第１の基準残量と第２の基準残量（第２の動作保証日数Ｎに対応）との間の場合は、翌日の天気予報情報が晴天ならば充電を行うか否かの判定を翌日に繰り延べる。一方、翌日の天気予報情報が雨天の場合は、充電式電池３の充電処理を開始する。
【００４０】
更に、充電式電池３の残量（Ｄ）が第２の基準残量未満の場合は、天気予報情報に関係なく充電式電池３の充電処理を開始する。
【００４１】
本実施形態では、上述したように充電式電池３の残量が十分あるとき、及び電池残量がある程度少なくなっても翌日の天気予報情報が晴天であるときは、充電式電池３の充電を行わない。充電式電池３は、充電回数が多い場合やフル充電に近い状態が長期間続いた場合に寿命が短くなるが、本実施形態では充電回数が削減され、フル充電に近い状態が長期間続くことが防止される。これにより、本実施形態では、充電式電池３の寿命が延びるという効果を奏する。
【００４２】
また、本実施形態では、充電式電池３の残量が所定値（第２の基準残量）よりも少なくなると、天気予報情報に関係なく充電を開始する。これにより、充電式電池３の充電不足により電子機器１５が動作しなくなることが回避される。
【００４３】
図５は、図２のステップＳ１９で実施される充電処理のフローチャートである。
【００４４】
まず、ステップＳ２１において、充電制御装置２の制御部２４は、機器制御装置４を介して入力される天気予報情報から当日の日照時間の情報を取得する。
【００４５】
次に、ステップＳ２２において、制御部２４は、充電式電池３を充電する際の充電電流の最小値を計算する。ここで、充電電流の最小値とは、当日の日照時間内で充電式電池３を十分充電するのに必要な電流の最小値である。この充電電流の最小値は、充電式電池３の容量から充電式電池３の残量を減算した値と、日照時間と、充電効率とから算出する。
【００４６】
次いで、ステップＳ２３において、制御部２４は、充電回路部２１を制御し、算出した充電電流の最小値に対応する電流を充電式電池３に供給して、充電式電池３の充電を行う。このとき、制御部２４は、電流検出部２３により充電電流を検出し、その検出結果を充電回路部２１の制御にフィードバックする。なお、本実施形態では、充電回路部２１はＰＷＭ（Pulse Width Modulation）回路を有し、パルスのデューティー比を変化させることにより充電電流を調整するものとしている。
【００４７】
一般的に、充電式電池３を充電する際の電流が大きすぎると、充電式電池３の寿命が短くなる。しかし、本実施形態では、上述したように、充電式電池３の容量から充電式電池３の残量を減算した値と、日照時間と、充電効率とから、日照時間内に充電式電池３の残量が十分な量となる最小電流を算出し、その最小電流で充電式電池３を充電する。これにより、充電式電池３の寿命をより一層延ばすことができる。
【００４８】
なお、本実施形態では上述したように充電式電池３の容量から充電式電池３の残量を減算した値と、日照時間と、充電効率とから最小電流値を計算するものとしたが、予め設定された充電電流で充電式電池３を充電するようにしてもよい。
【００４９】
ところで、充電式電池３は、充放電を繰り返すことによりいずれは劣化する。この場合、電子機器１５の動作を継続するためには、充電式電池３の劣化を検出して交換を促す警報を発生するなどの処理が重要になる。
【００５０】
図６は、充電時に充電式電池３の異常の有無を検出しながら充電を行う充電処理のフローチャートである。
【００５１】
まず、ステップＳ３１において、制御部２４は、充電開始にともなって充電時間を測定するタイマーを起動する。なお、ここでは、タイマーは充電制御装置２内に内蔵されているものとしている。
【００５２】
次に、ステップＳ３１に移行し、制御部２４は、電圧検出器２３を介して充電式電池３の電圧（以下、「電源電圧」という）を取得する。そして、ステップＳ３２に移行し、制御部２４は、電源電圧が予め設定された電圧上限値Ｖmax以下か否かを調べる。電源電圧が電圧上限値Ｖmaxを超える場合（Ｎｏ）は、充電式電池３に何らかの異常があると考えられる。この場合、ステップＳ３６に移行し、制御部２４は充電処理を停止する。そして、制御部２４は、例えば機器制御装置４の通信モジュール４３を介してデータセンタ１６に充電式電池３の交換が必要である旨の警報を送信する。
【００５３】
一方、ステップＳ３３において電源電圧が上限値Ｖmax以下である場合（Ｙｅｓ）は、ステップＳ３４に移行する。ステップＳ３４において、制御部２４はタイマーを参照し、充電開始からの時間（充電時間）Ｔが予め設定された充電時間の上限値Ｔmax以下か否かを調べる。ここで、充電時間Ｔが充電時間の上限値Ｔmaxを超えている場合（Ｎｏ）は、充電式電池３が劣化していると考えられる。この場合も、ステップＳ３６に移行し、制御部２４は充電処理を停止する。そして、制御部２４は、例えば機器制御装置４の通信モジュール４３を介してデータセンタ１６に充電式電池３の交換が必要である旨の警報を送信する。
【００５４】
ステップＳ３４において、充電時間Ｔが上限値Ｔmax以下であると判断した場合（Ｙｅｓ）には、ステップＳ３５に移行する。ステップＳ３５において、制御部２４は充電式電池３の充電が完了したか否かを判定する。充電が完了したか否かは、例えば電源電圧が所定値（例えば、フル充電時の電圧、又はフル充電時の電圧の８０％〜９０％の電圧など）まで到達したか否かにより判定する。充電電圧の増加速度（ΔＶ／ｄｔ）が所定の値以下に低下したか否かにより充電が完了したか否かを判定してもよい。。
【００５５】
ステップＳ３５において、充電式電池３の充電が完了していないと判定した場合（Ｎｏ）には、ステップＳ３２に戻り、上述した処理を繰り返す。また、ステップＳ３５において充電式電池３の充電が完了したと判定した場合（Ｙｅｓ）は、充電処理を終了する。
【００５６】
このように、本実施形態では充電処理時に充電式電池３の異常（劣化を含む）の有無を判定し、異常や劣化が検出されたときには警報を発生して充電式電池３の交換を促す。これにより、電子機器１５を長期間継続して稼働させることができる。
【００５７】
（変形例１）
上述した実施形態では、第１の動作保証日数Ｍと第２の動作保証日数Ｎとを設定している。しかし、第２の動作保証日数Ｎの設定は必須ではなく、第２の動作保証日数Ｎを設定しなくてもよい。この場合、図２のフローチャートにおいて、ステップＳ１１では第１の保証日数Ｍのみを設定する。また、ステップＳ１６の処理は不要となる。
【００５８】
この変形例１の充電判定処理を充電式電池３の残量で表すと、図７のようになる。すなわち、充電式電池３の残量Ｄが第１の基準残量（再１の動作保証日数Ｍに対応）以上の場合は、充電式電池３の充電を行うか否かの判定を翌日に繰り延べる。
【００５９】
充電式電池３の残量が第１の基準残量未満の場合は、翌日の天気予報情報が晴天ならば充電を行うか否かの判定を翌日に繰り延べる。一方、翌日の天気予報情報が雨天の場合は、充電式電池３の充電を開始する。
【００６０】
（変形例２）
上述した実施形態では、天気予報情報を外部の情報センター１６から通信を介して取得するものとしている。しかし、電源システム１０内に気圧や湿度等を測定するセンサを設け、そのセンサの測定値により翌日の天気を判定するようにしてもよい。例えば気圧センサで測定した気圧が設定値よりも高いときには翌日の天気予報情報を晴天とし、その天気予報情報により充電式電池３の充電を行うか否を判定するようにしてもよい。
【００６１】
（変形例３）
充電式電池３の放電特性は、充放電回数により変化する。そこで、予め充電式電池３の放電特性と充電回数との関係を調べておき、充電制御装置２内に充電回数をカウントするカウンターを設けて、充電回数に応じて放電特性を修正するようにしてもよい。これにより、充電式電池３の残量をより正確に求めることができる。
【００６２】
以上の諸実施形態に関し、更に以下の付記を開示する。
【００６３】
（付記１）充電式電池の電圧を検出する電圧検出部と、
天気予報情報を取得するとともに、前記電圧検出部による電圧検出結果から前記充電式電池の残量を求め、前記充電式電池の残量と前記天気予報情報とに基づいて前記充電式電池の充電を行うか否かを判定する制御部と、
前記制御部の判定結果に応じて太陽電池の出力電力を前記充電式電池に供給し前記充電式電池の充電を行う充電回路部と
を有することを特徴とする充電制御装置。
【００６４】
（付記２）前記制御部は、前記充電式電池の残量が予め設定された第１の基準残量よりも多い場合、及び前記充電式電池の残量が前記第１の基準残量未満であっても前記天気予報情報に含まれる翌日の天気が晴天の場合には、前記充電式電池を充電するか否かの判定を翌日に繰り延べることを特徴とする付記１に記載の充電制御装置。
【００６５】
（付記３）前記制御部は、前記充電式電池の残量が第２の基準残量（但し、第１の基準残量＞第２の基準残量）よりも少なくなったときには、前記天気予報情報に関係なく前記充電回路部を制御して前記充電式電池の充電を開始させることを特徴とする付記２に記載の充電制御装置。
【００６６】
（付記４）前記第２の基準残量は、前記天気予報情報の信頼度が高い場合ほど小さい値に設定されることを特徴とする付記３に記載の充電制御装置。
【００６７】
（付記５）前記制御部は前記天気予報情報に含まれる当日の日照時間に基づいて前記充電式電池を充電するときの充電電流を決定し、前記充電回路部は前記制御部により決定された充電電流で前記充電式電池を充電することを特徴とする付記１乃至４のいずれか１項に記載の充電制御装置。
【００６８】
（付記６）前記制御部は、前記充電式電池に充電する際に電圧又は充電時間を監視して前記充電式電池の異常の有無を判定することを特徴とする付記１に記載の充電制御装置。
【００６９】
（付記７）光を受けて電力を発生する太陽電池と、
前記太陽電池で発生した電力を蓄える充電式電池と、
前記充電式電池の充電を制御する充電制御装置とを具備し、
前記充電制御装置は、
前記充電式電池の電圧を検出する電圧検出部と、
天気予報情報を取得するとともに、前記電圧検出部による電圧検出結果から前記充電式電池の残量を求め、前記充電式電池の残量と前記天気予報情報とに基づいて前記充電式電池の充電を行うか否かを判定する制御部と、
前記制御部の判定結果に応じて前記太陽電池の出力電力を前記充電式電池に供給し前記充電式電池の充電を行う充電回路部とを有することを特徴とする電源システム。
【００７０】
（付記８）更に、前記太陽電池に接続されて電子機器に電力を供給する機器制御装置を有し、前記機器制御装置は前記太陽電池の出力が設定値よりも少ないときに前記充電制御装置を介して前記充電式電池から出力される電力を前記電子機器に供給することを特徴とする付記７に記載の電源システム。
【００７１】
（付記９）前記機器制御装置は、所定の情報センターとの間で通信を行って前記天気予報情報を取得する通信モジュールを有することを特徴とする付記８に記載の電源システム。
【符号の説明】
【００７２】
１…太陽電池、２…充電制御装置、３…充電式電池、４…機器制御装置、１０…電源システム、１５…電子機器、１６…情報センター、２１…充電回路部、２２…電圧検出部、２３…電流検出部、２４…制御部、４１…電源切換部、４２…天気情報制御部、４３…通信モジュール。
【図１】
2012023874.tif 000003
【図２】
2012023874.tif 000004
【図３】
2012023874.tif 000005
【図４】
2012023874.tif 000006
【図５】
2012023874.tif 000007
【図６】
2012023874.tif 000008
【図７】
2012023874.tif 000009